(57)【要約】【課題】  鉤針取り扱いの安全性に優れた鉤針式すくいあげ具の提供。【解決手段】  径の大小異なる複数本の竿体１１を伸縮自在に連接した延竿部１０と、延竿部１０の最小径の竿体１１ａの先端部から軸方向前方に延在する胴線２３の先端に鉤針２４を有する掛け針部２０と、竿体１１ａに掛け針部２０を連結した竿針ユニットＹを最大径の竿体１１ｆに挿入して延竿部１０を最小長さに縮小したときに、竿針ユニットＹの抜けを抑制する抜け止め手段４３を有する尻栓４０を備え、竿針ユニットＹの竿出しを尻栓４０の抜け止め手段４３を利用することで緩やかで円滑なものにして、鉤針取り扱いの安全性を確保する。【選択図】図１５
2010136694.tif 000002
【特許請求の範囲】
【請求項１】
径の大小異なる複数本の竿体を伸縮自在に連接した延竿部と、
前記延竿部の最小径の竿体の先端部に着脱自在に連結される基端部および当該基端部より延竿軸方向前方に延在する胴線の先端部から胴線側方に屈曲する鉤針を有する掛け針部と、
前記延竿部の最大径の竿体の後端部に着脱自在に連結され、前記最小径の竿体に前記掛け針部を連結した竿針ユニットを前記最大径の竿体内に挿入して前記延竿部を最小長さに縮小したときに、前記最小径の竿体の後端部に弾圧的に嵌合して前記最大径の竿体からの前記竿針ユニットの抜けを抑制する抜け止め手段を有する尻栓と、
を具備したことを特徴とするすくいあげ具。
【請求項２】
前記抜け止め手段は、前記尻栓に軸方向に貫通させた弾性貫通穴を有し、当該貫通穴に前記最小径の竿体と一体で当該竿体の後端に軸方向に突出させた安全ピンを挿脱可能に圧入することを特徴とする請求項１に記載のすくいあげ具。
【請求項３】
前記延竿部の最大径の竿体の先端部に連結され、前記竿針ユニットの前記鉤針の屈曲部分のみを前記最大径の竿体の先端に掛かるよう露出させて前記延竿部を最小長さに縮小したときに、前記最大径の竿体の先端から露出する前記鉤針を囲う安全カバーを有することを特徴とする請求項１または２に記載のすくいあげ具。
【請求項４】
前記掛け針部は、前記基端部から放射状に拡がる複数の弾性胴線と、複数の前記胴線それぞれの先端部に固定した鉤針を有し、複数の前記胴線を、各胴線の先端部が互いに接近する方向に収束させた状態で前記鉤針を前記安全カバー内に収納することを特徴とする請求項３に記載のすくいあげ具。
【請求項５】
前記延竿部の最小径の竿体を除く１本の竿体の先端部に、前記延竿部を最小長さに縮小したときに、前記掛け針部の基端部から放射状に拡がる複数の弾性胴線に胴線軸方向に摺接することで各胴線の先端部を互いに接近させる方向に収束させる収束内径面を形成したことを特徴とする請求項４に記載のすくいあげ具。
【請求項６】
前記掛け針部は、前記基端部から放射状に拡がる複数の弾性胴線に胴線軸方向に移動可能に嵌挿され、放射状に拡がる複数の胴線に対して手動で相対移動させることで前記胴線をそれぞれの先端部が互いに接近する方向に収束させる収束部材を有することを特徴とする請求項４または５に記載のすくいあげ具。
【請求項７】
前記安全カバーは、前記最大径の竿体の先端部外周を囲って当該先端部に固定した椀状の固定カバーと、前記固定カバーの外周に当該固定カバーの先端開口部を塞ぐ閉位置と開く開位置の間で開閉可能に連結された手動式安全蓋を備えたことを特徴とする請求項３〜６のいずれか一記載のすくいあげ具。
【請求項８】
前記安全カバーは、前記最大径の竿体の先端部に、当該竿体の先端開口部とこの先端開口部に露出する前記鉤針を覆う閉位置と前記鉤針を露呈させる開位置の間で開閉可能に連結された手動式開閉カバーを有することを特徴とする請求項３〜６のいずれか一記載のすくいあげ具。
【発明の詳細な説明】
【技術分野】
【０００１】
本発明は、水面近くまで釣り上げ等したイカなどの獲物を鉤針で引っ掛けて引き上げるすくいあげ具に関する。
【背景技術】
【０００２】
水面近くまで釣り上げた魚類の取り逃がしを防ぐすくいあげ具は、魚類をすくい上げる玉網を使用したものと、魚類を鉤針で引っ掛けるものに大別される。玉網式すくいあげ具は、伸縮自在な延竿の先端に玉網を連接した構造が一般的である。鉤針式すくいあげ具は、振出し式延竿の先端に長尺な胴部を有する鉤針を連接した構造が一般的である。
【０００３】
玉網式すくいあげ具の場合、玉網を水中で動かすときに大きな水抵抗を受けて、片手操作がし難くなることがある。また、玉網でイカやタコのような多様な動きをする魚類をすくい上げると、水面上へと引き上げる際に玉網から逃げ出すことや、イカやタコが吹き出したスミが網に付着して落ち難くなることがある。鉤針式すくいあげ具は、玉網に比べて鉤針が軽量であり、水中で動かすときの水抵抗が小さくて片手操作が容易である。また、イカやタコが吹き出したスミが付着しても簡単に洗い流せる。このことから、特にイカ釣りにおいて鉤針式すくい上げ具が賞用されている。
【０００４】
鉤針式すくいあげ具に、径の大小異なる複数本の竿体を伸縮自在に連接した振出し式延竿の先端から、長尺な複数本の鉤針を放射状に突出させたものがある（例えば、特許文献１参照）。この種すくいあげ具は、納竿時などにおいて延竿を最小長さに縮小させると、鉤針の根元部分が延竿の先端部に位置して、鉤針が延竿前方に突出する。延竿を最小長さに縮小させたとき、鉤針の根元部分に設けた竿抜け止め用ゴム栓が最大径の竿体の内周に弾圧嵌合するなどして、最大径の竿体からの鉤針抜け、竿抜けを防止する。
【特許文献１】実用新案登録第３０９１２７７号公報
【発明の開示】
【発明が解決しようとする課題】
【０００５】
上記鉤針式すくいあげ具は、延竿先端に突出する鉤針に釣人の体や服などが引っ掛かるなどして、安全性に欠け、取り扱いが難しい。また、最小長さの延竿を振るようにして、竿出しをしているが、これでは竿先端から鉤針が振り回されながら急速に繰り出されることになり、安全な竿出しが難しい。
【０００６】
このようなことから、延竿先端に取り付けた椀状のケース内に複数の鉤針を収束させて収納して、安全性を確保することが行われている。放射状の複数の鉤針を互いに接近する方向に手で収束させてケース内に収納し、鉤針から手を離すと鉤針が放射状に弾性復帰してケース内周面に弾圧接触し、ケースからの針抜けが抑制される。また、最小長さの延竿を振って竿出しするときに、振り出し力でケースから鉤針を突出させる。このようなケース付すくいあげ具は、納竿して持ち歩くときに鉤針がケース内に収納されているので安全である。しかし、延竿を振ってケースから鉤針を飛び出させるとき、延竿の振り出し力が強すぎると、カバーから鉤針が勢い良く飛び出し、周辺の人や物に引っ掛かる可能性が高い。
【０００７】
本発明は、かかる実情に鑑みてなされたもので、鉤針取り扱いの安全性に優れた鉤針式すくいあげ具を提供することを目的とする。
【課題を解決するための手段】
【０００８】
本発明は、径の大小異なる複数本の竿体１１を伸縮自在に連接した延竿部１０と、延竿部１０の最小径の竿体の先端部に着脱自在に連結される基端部２１および基端部２１より延竿軸方向前方に延在する胴線２３の先端部から胴線側方に屈曲する鉤針２４を有する掛け針部２０と、延竿部１０の最大径の竿体の後端部に着脱自在に連結され、最小径の竿体に掛け針部２０を連結した竿針ユニットＹを最大径の竿体内に挿入して延竿部１０を最小長さに縮小したときに、最小径の竿体の後端部に弾圧的に嵌合して最大径の竿体からの竿針ユニットＹの抜けを抑制する抜け止め手段４３を有する尻栓４０とを有する。
【０００９】
ここで、延竿部１０は、２本以上の複数のテーパー筒状竿体１１を順に竿軸方向に連接したもので、一般的な玉網式や鈎式すくいあげ具の延竿構造と同様なものが適用できる。延竿部１０を構成する最小径の竿体の先端部に掛け針部２０の基端部２１を着脱自在に連結する。最小径の竿体と掛け針部２０を連結して単品の竿針ユニットＹを構成する。最小径の竿体は、掛け針部２０の長さ分だけ他の竿体の全長より短い。ここでの他の竿体は、最小径の竿体を除く竿体で、竿針ユニットＹの全長に近い長さを有する。
【００１０】
掛け針部２０の胴線２３は、直線状の１本或いは複数本の弾性金属線である。胴線２３の先端部に、単数或いは複数の鉤針２４の胴部を半田付けや溶接などで固定する。胴線２３が１本の場合、胴線２３は基端部２１から竿軸方向に延在する。胴線２３が複数本の場合、基端部２１から軸方向前方に向け放射状に延在する。この放射状は、同一平面で扇形の放射状や、円錐形の放射状である。胴線２３を長尺にしてその先端部に、鉤針２４の直線状胴部を半田付けなどで固定する。長尺な胴線２３の先端部に別体の鉤針２４を固定することで、胴線２３が弾性変形し易くなり、鉤針２４による魚類の引っ掛かりが良くなる。掛け針部２０は、胴線２３や鉤針２４の数、サイズが異なる複数種類のものが製造され、パッケージ化されて市販される。複数種類の掛け針部２０の選択された一種類が延竿部１０の最小径の竿体の先端部に交換可能に取り付けられる。
【００１１】
延竿部１０の尻栓４０に形成する抜け止め手段４３は、弾性部材に形成した抜け止め穴のような構造簡単で加工し易いものが適用できる。延竿部１０を最小長さに縮小したときに、最大径の竿体からの竿針ユニットＹの不意な抜けが尻栓４０で防止でき、鈎式すくいあげ具の取り扱い時の安全性が増す。尻栓４０による竿針ユニットＹの抜け防止で、最大径の竿体の先端開口部に在る鉤針２４が竿抜け止め用ゴム栓の機能を発揮させることができる。この竿抜け止め機能で、既存のゴム栓が不要となり、最大径の竿体内に収納する竿体の長さを最大径の竿体の長さと同程度まで長目に設定することができる。
【００１２】
本発明においては、尻栓４０の抜け止め手段４３は、尻栓４０に軸方向に貫通させた弾性貫通穴４３を有し、貫通穴４３に最小径の竿体の後端に軸方向に突出させた安全ピン１３を挿脱可能に圧入する構造とすることができる。弾性貫通穴４３は、尻栓４０の中央部に固定した弾性部材に貫通させた丸穴が望ましい。貫通穴４３は、最小径の竿体の抜け止め穴として機能する他、最小長さの延竿部１０から自重で竿出しする際の空気流入穴としても機能し、竿出しを円滑で安全なものにする。このような空気流入穴として有効に機能させる貫通穴４３の穴径は、数ミリ〜５ミリが適切である。
【００１３】
また、本発明においては、延竿部１０の最大径の竿体の先端部に連結され、竿針ユニットＹの鉤針２４の屈曲部分のみを最大径の竿体の先端に掛かるよう露出させて延竿部１０を最小長さに縮小したときに、最大径の竿体の先端から露出する鉤針２４を囲う安全カバー３０を有する構造とすることができる。
【００１４】
ここでの安全カバー３０は、先端開口の椀形状や、開閉式ドーム形状の軽量な金属製品、樹脂製品が適用できる。安全カバーを、最大径の竿体に接着などで固定、或いは、開閉可能にピン連結する。安全カバー３０の内部に掛け針部２０の鉤針２４を非接触状態で収納して、鉤針２４を囲い、鉤針２４を外部の人や物から保護する。椀状の安全カバー３０の場合、その先端開口部に手動開閉式の安全蓋を連結することができる。
【００１５】
本発明においては、掛け針部２０は、基端部２１から放射状に拡がる複数の弾性胴線２３と、複数の胴線２３それぞれの先端部に固定した鉤針２４を有し、複数の胴線２３を、各胴線２３の先端部が互いに接近する方向に収束させて各先端部の鉤針２４を安全カバー３０内に収納する構造とすることができる。
【００１６】
また、本発明においては、延竿部１０の最小径の竿体を除く１本の竿体の先端部に、延竿部１０を最小長さに縮小したときに、掛け針部２０の基端部から放射状に拡がる複数の弾性胴線２３に胴線軸方向に摺接することで各胴線２３の先端部を互いに接近させる方向に収束させる収束内径面５１を形成することができる。収束内径面５１は、前記１本の竿体１１の先端開口部に直接に形成する、或いは、竿体の先端部に一体化した筒部材５０の内周面に形成することができる。
【００１７】
延竿部１０の竿体に収束内径面５１を設けることで、納竿時などで延竿部１０を縮小させる際に、掛け針部２０の放射状に拡がる複数の胴線２３が半自動的に収束され、収束された複数の鉤針２４が安全カバー３０内に収まる。そのため、納竿時などの竿操作が容易となり、鉤針２４で手を引っかけるといった危険性が回避され、鉤針取り扱いの安全性が増す。
【００１８】
また、本発明においては、掛け針部２０は、基端部２１から放射状に拡がる複数の弾性胴線２３を囲って胴線軸方向に移動可能に嵌挿され、手動で胴線先端側に移動させることで放射状に拡がる複数の胴線２３の各先端部を互いに接近させる方向に収束させる収束部材６０を有する構造とすることができる。収束部材６０は、複数の胴線２３が挿通される穴を有する円形リング、円筒が適用できる。さらに、収束部材６０は、複数の胴線２３が１本ずつ挿通される複数の穴を有する板部材が適用できる。収束部材６０で複数の胴線２３を収束させた状態で、掛け針部２０を延竿部１０に挿入し、鉤針２４を安全カバー３０に収納することができる。この場合、延竿部１０の収束内径面５１は、掛け針部２０の収束に直接的には作用しない。
【００１９】
また、掛け針部２０の複数の弾性胴線２３それぞれの先端部に鉤針２４を、複数の各胴線２３を収束させたときに互いに絡まない方向性で固定することが望ましい。掛け針部２０の弾性胴線２３が、基端部２１の軸線を含む一平面に沿って扇状に拡がる複数本の場合、各胴線２３それぞれの先端部に鉤針２４を、前記一平面と直交する方向性で取付けると、複数の胴線２３を収束させたときに各鉤針２４が平行に近接して互いに絡まない。このようにすると、複数の胴線２３が自己復元力で放射状に拡がるときに、鉤針同士が絡んでいないので確実、円滑に拡がる。その結果、鉤針同士の絡みを手で外すといった手間が不要となり、鉤針取り扱いの安全性が増す。
【００２０】
また、掛け針部２０においては、複数の胴線２３の長さを段階的に相違させて、複数の各胴線２３を収束させたときに各先端部の鉤針２４の高さに段差ｄを形成することができる。このように段差ｄを形成するようにすると、鉤針同士の絡みを防止することが、より容易になる。また、放射状に拡がる複数の胴線２３の各先端部の鉤針２４が竿長さ方向で段差を持って拡がるため、イカなどの魚類の掛け率が上がる。
【００２１】
また、本発明においては、安全カバー３０は、延竿部１０の最大径の竿体の先端部外周を囲って当該先端部に固定した椀状の固定カバー３１と、固定カバー３１の外周に固定カバー３１の先端開口部を塞ぐ閉位置と開く開位置の間で開閉可能に連結された手動式安全蓋７０を備えた構造とすることができる。椀状の固定カバー３１内に先端開口部３１ｄから鉤針２４を収納するようにして、鉤針取り扱いの安全性を確保すると共に、先端開口部３１ｄを安全蓋７０で封口すれば、安全性がより高くなる。安全蓋７０は、固定カバー３１の軸方向に回転して開閉するもの、軸方向と直交方向に回転して開閉するもの、蛇腹式のものなどが適用できる。
【００２２】
また、本発明においては、安全カバー３０は、延竿部１０の最大径の竿体の先端部に、当該竿体の先端開口部とこの先端開口部に露出する鉤針２４を覆う閉位置と鉤針２４を露呈させる開位置の間で開閉可能に連結された手動式開閉カバー８０を有する構造とすることができる。ここでの開閉カバー８０は、２分割開閉ドーム式のものが適用できる。閉位置にある開閉カバー８０は、鉤針２４を覆うドーム蓋の形状となり、鉤針２４を安全に保護する。
【発明の効果】
【００２３】
本発明によれば、納竿時などで延竿部を最小長さに縮小したとき、竿針ユニットの後端が尻栓の抜け止め手段に嵌合して抜け止めされるので、最大径の竿体からの竿針ユニットの不意な抜け出しが無く、鉤針取り扱いを含めた延竿取り扱いの安全性に優れた鉤針式すくいあげ具を提供することができる。
【００２４】
また、尻栓の抜け止め手段を尻栓に貫通させた貫通穴にすることで、延竿部の最大径の竿体から竿出しするときに、貫通穴が空気流入穴として作用して、常に竿出しが円滑に行えるようになり、鉤針の急激な飛び出しが抑制されて、より安全な延竿取り扱いができる。また、延竿部を最小長さに縮小したとき、延竿先端から竿針ユニットの鉤針が突出していても、これを延竿部に連結した安全カバー内に収納するようにすることで、延竿取り扱いの際に尻栓で抜け止めされた竿針ユニットの鉤針が安全カバーから不意に飛び出さず、安全性が確保される。また、延竿部の竿出し操作は、安全カバー内の鉤針を手で少し引くなどして尻栓による抜け止めを解除してから、延竿部を横向けにすると竿針ユニットが滑り出すため、安全カバーから鉤針を緩やかに安全性良く出すことができる。そのため、延竿伸縮操作の全過程において鉤針取り扱いの安全性が確保され、釣り現場において安全かつ迅速な竿伸縮操作ができるという優れた効果を奏し得る。
【発明を実施するための最良の形態】
【００２５】
以下、本発明の実施の形態を、添付の図面を参照して説明する。
【００２６】
図１〜図７のすくいあげ具１は、複数本の竿体１１を伸縮自在に連接した延竿部１０と、延竿部１０の最小径の竿体１１の先端部に着脱自在に連結されて延竿軸方向前方に延在する掛け針部２０と、延竿部１０の最大径の竿体１１の先端部に連結した安全カバー３０を備える。延竿部１０は、最大径の竿体１１の後端部に着脱自在に連結された尻栓４０を備える。図１に示す延竿部１０は、内外径が段階的に異なる複数本、例えば６本のテーパー筒状竿体１１を同軸状に連接した延竿で、以下、必要に応じて最小径の竿体から最大径の竿体までの符号を１１ａ〜１１ｆとする。この場合、最小径の竿体が１１ａであり、最大径の竿体が１１ｆである。
【００２７】
延竿部１０は、一般的な玉網式または鈎式すくいあげ具に使用される伸縮自在の延竿が適用できる。複数本の各竿体１１は、先細テーパー筒のカーボン製やグラスファイバー製の延竿である。最小径の竿体１１ａは、掛け針部２０と連結されて一本の竿針ユニットＹとして使用される。そのため、竿体１１ａは、他の竿体１１ｂ〜１１ｆより掛け針部２０の長さ程度短い。他の竿体１１ｂ〜１１ｆは、概ね同程度の長さである。最小径の竿体１１ａが２番目に径の小さい竿体１１ｂに、この竿体１１ｂの後端開口から挿入される。同様にして竿体１１ｂが竿体１１ｃに挿入され、竿体１１ｃが竿体１１ｄに、竿体１１ｄが竿体１１ｅに、竿体１１ｅが竿体１１ｆに挿入される。最大径の竿体１１ｆの後端部外周の全周に、人が片手で握り易いようにスポンジなどの握り部１１’ｆが形成される。最大径の竿体１１ｆの先端部外周に、安全カバー３０が連結され、後端部内周に尻栓４０が着脱自在に螺合される。図１に示す延竿部１０は、最大径の竿体１１ｆの中に各竿体１１ａ〜１１ｅを収納した最小長さの状態を示す。
【００２８】
延竿部１０は、最小径の竿体１１ａを除く１本の竿体の先端部に、延竿部１０を最小長さに縮小したときに、後述する掛け針部２０の放射状に拡がる胴線２３を収束させる収束内径面５１を有する。すくいあげ具１の場合、図７に示すように、２番目に径の小さい竿体１１ｂの先端部に同軸状に固定した円形筒部材５０の先端部内周に形成したテーパー内周面５２を収束内径面５１とする。テーパー内周面５２は、竿体１１ｂの先端から後方に縮径する円錐面で、最奥の最小径が竿体１１ｂの内径に等しい。テーパー内周面５２の最奥近辺の内周面が掛け針部の胴線２３に直接的に摺動して収束させる収束内径面５１として機能する。テーパー内週面５２には、胴線２３を収束させるときに胴線２３が嵌入して摺動するガイド溝（図示せず）を形成してもよい。
【００２９】
掛け針部２０の一例を図６に示す。この掛け針部２０は、最小径の竿体１１ａの先端部に螺装される軸状の基端部２１と、基端部２１から軸方向前方に突出する軸体２２の先端から放射状に延在する３本の胴線２３と、各胴線２３それぞれの先端部に半田付けなどで固定した鉤針２４を備える。３本の胴線２３は、基端部２１の軸線に沿って延在する１本と、この１本の左右で扇形に拡がる２本である。３本の胴線２３はほぼ一平面上で扇形、放射状に拡がる。中央１本の胴線２３の先端部に図６の紙面（３本の胴線が拡がる一平面）と直交する方向性で２本一対の鉤針２４が固定される。残り２本の胴線２３の各先端部に、図６の紙面と直交する方向性で２本一対の鉤針２４と、図６の紙面と鋭角で交差する外向きの方向性で２本ずつの鉤針２４の計４本が固定される（図３参照）。図６の鎖線で示すように、中央の胴線２３の先端部に向けて左右２本の胴線２３の先端部を接近させるようにして３本を収束させたとき、図２および図３に示すように３本の胴線２３の各鉤針２４が互いに絡まない。３本の胴線２３の各鉤針２４は同一サイズであり、中央１本の胴線２３が左右２本の胴線２３より長さｄだけ短い。３本の胴線２３を収束させたとき、図１に示すように、中央胴線２３の鉤針２４と左右２本の胴線２３の鉤針２４の間に段差ｄが生じる。この段差ｄで各鉤針２４が、尚一層に絡み難いようにしてある。
【００３０】
図６に示す掛け針部２０の基端部２１は、雄ねじ部２１ａと針取付部２１ｂを一体化した金属製品である。雄ねじ部２１ａが最小径の竿体１１ａの先端部内周に形成した雌ねじ部１２に螺装される。針取付部２１ｂは中空軸で、これに３本の胴線２３の根元に固定した軸体２２が挿入され、半田などで固定される（図１３参照）。図６に示す掛け針部２０が工場生産され、パッケージ化されて市販される。なお、胴線２３に固定した軸体２２を基端部２１の針取付部２２ｂに着脱自在に取り付けるようにして、軸体２２と胴線２３、鉤針２４の一体物を工場生産し、パッケージ化して市販することも可能である。
【００３１】
図６に示す最小径の竿体１１ａは、外周が後方ほど拡径するテーパー面１１’ａにした１本の延竿である。この竿体１１ａの後端に同軸状に金属製の安全ピン１３が固定される。安全ピン１３とピン台１４と円柱台１５が一体で、円柱台１５が竿体１１ａの後端に同軸に連結される。安全ピン１３に対応させて、尻栓４０に安全ピン１３が挿脱可能に嵌合される抜け止め手段４３が形成される。図１に示す抜け止め手段４３は、尻栓４０の中心線に沿って貫通させた貫通穴で、以下、貫通穴４３と称する。図７に示すように、尻栓４０は、最大径の竿体１１ｆの後端部内周に形成した雌ねじ部１６に螺合される樹脂製の雄ねじ部４１と、雄ねじ部４１の中央部を構成するゴム製の弾性部材４２を一体化して構成される。弾性部材４２の中心線に沿って弾性貫通穴４３が形成される。雄ねじ部４１の外面中央部に、弾性部材４２まで達する深さで栓回転操作用窓穴４４が形成される。窓穴４４は貫通穴４３より大径の丸穴で、貫通穴４３に連通する。窓穴４４には、硬貨などを使って尻栓４０を正逆回転させる回転操作用溝（図示せず）が形成される。貫通穴４３は、安全ピン１３が挿脱可能に圧入される直穴である。図１に示すように、尻栓４０の内側端面から貫通穴４３に安全ピン１３を圧入し、ピン台１４を尻栓４０の弾性部材４２に当接させると、ピン圧入が停止し、貫通穴４３に安全ピン１３が弾圧的に接触する。この弾圧力で安全ピン１３の不意な抜けが抑制される。安全ピン１３の先端部は、貫通穴４３を突出して窓穴４４の内部に静止する。静止したとき、安全ピン１３の先端部が窓穴４４から突出してもよい。
【００３２】
図１および図２に示す安全カバー３０は、延竿部１０の最大径の竿体１１ｆに固定した椀状の固定カバー３１のみで構成される。固定カバー３１は、円筒状の固定座部３１ａと、固定座部３１ａの先端から全周方向に延在する円環状の底板部３１ｂと、底板部３１ｂの外周から前方に延在する円筒状のカバー部３１ｃと、固定座部３１ａと一体の円筒状座部延長部３１ｅを有する。固定座部３１ａと座部延長部３１ｅが最大径の竿体１１ｆの先端部外周に嵌着される。最大径の竿体１１ｆの先端から少し後方に座部延長部３１ｅの先端を位置させて、竿体１１ｆに固定座部３１ａと座部延長部３１ｅが接着やネジ止めなどで固定される。カバー部３１ｃの先端開口部３１ｄは、最大径の竿体１１ｆの先端より少し前方に位置するようにしてある。延竿部１０を最小長さに縮小したとき、固定カバー３１内の竿体１１ｆの先端から、最小径の竿体１１ａに連結された筒部材５０の先端部が少しはみ出す。最小径の竿体１１ａに所定長さの掛け針部２０を連結した竿針ユニットＹの全長は、最大径の竿体１１ｆの長さより少し長目であり、竿体１１ｆの長さに固定カバー３１の長さを加算した全長より少し短目に設定される。
【００３３】
次に、すくいあげ具１の使用例、組立例を説明する。
【００３４】
図４で使用例を、図７で組立例を説明する。まず、図７から説明する。延竿部１０の最大径の竿体１１ｆの後端開口から各竿体１１を順に挿通する。延竿部１０を最小長さに近い状態にして、最大径の竿体１１ｆの後端部に尻栓４０を螺合し、最小径の竿体１１ａの先端部を筒部材５０の先端より導出する。この竿体１１ａの先端部に掛け針部２０の基端部２１を螺合して、組立を終了する。
【００３５】
組立後、掛け針部２０と最小径の竿体１１ａの竿針ユニットＹを竿体１１ｂ内に挿入する。この挿入は、延竿部１０を横向きにして、手で竿針ユニットＹを竿体１１ｂ内に押し込むようにして行えば安全である。このときの参考図を図４（Ｃ）に示す。図４（Ｃ）は、掛け針部２０の取り出し時のものであり、図４（Ｃ）の矢印と逆方向で掛け針部２０が竿体１１ｂ内に滑り込む。掛け針部２０の３本の胴線２３が扇形に開いた状態にあることから、滑り込み途中で左右２本の胴線２３が筒部材５０内のテーパー内週面５１に当接する。延竿部１０を横向きにしたまま、横向きの掛け針部２０の各鉤針２４に手のひらを当てて押し込む。鉤針２４の上に湾曲したフトコロ部分に手のひらを当てて押し込むため、針先に手を引っ掛ける心配がなく、安全に押し込み操作ができる。掛け針部２０の押し込みで、左右一対の胴線２３がテーパー内５１を軸方向に摺動し、収束内径面５１を滑ることで順次に収束される。掛け針部２０と一体となって最小径の竿体１１ａも竿体１１ｂ内に押し込まれる。
【００３６】
竿針ユニットＹの最小径竿体１１ａが最大径竿体１１ｆの底近くまで押し込まれると、最小径竿体１１ａの下端に突出する安全ピン１３が尻栓４０の貫通穴４３に達する。この状態で竿針ユニットＹをさらに押し込むと、安全ピン１３が貫通穴４３に弾圧的に圧入されて、図１の状態で押し込みが停止する。この押し込み停止まで、掛け針部２０の胴線２３の収束が継続的に行われる。押し込みと胴線収束が停止したとき、収束した各胴線２３の先端部の鉤針２４が固定カバー３１の内部に非接触状態で収納される。各胴線２３は、収束内径面５１に当接して拡がらず、収束されたままの状態で安定に保持される。
【００３７】
図１および図２の状態で、すくいあげ具１を保管し、持ち運びをする。このとき、鉤針２４が固定カバー３１で囲まれているので、人の手や衣類などに触れて引っ掛かる心配が無く、安全である。また、延竿部１０を下向けにしても、安全ピン１３が貫通穴４３に弾圧嵌合しているので、竿針ユニットＹが不意に飛び出す心配がなく、尚一層に安全である。さらに、竿針ユニットＹの先端の鉤針２４が筒部材５０と最大径の竿体１１ｆの先端開口部を覆うように拡がり、その状態で安全ピン１３と貫通穴４３の弾圧嵌合で止め置かれているので、竿体１１ｂの筒部材５０が竿抜け止め用ゴム栓と同様な機能を発揮する。この機能による効果は、後述する図１５の実施の形態にて説明する。
【００３８】
次に、図４（Ａ）〜（Ｂ）で使用例を説明する。図４（Ａ）は、固定カバー３１の中に鉤針２４が収納された使用前の状態である。この状態で鉤針２４のフトコロ部を指で掴んで横に引き出す。この引き出しで、安全ピン１３が貫通穴４３から抜け、図４（Ｂ）の状態となる。図４（Ｂ）の状態で、延竿部１０を横向けにしたまま最大径の竿体１１ｆからの竿針ユニットＹを含む竿出しを行う。竿出しの際に、竿針ユニットＹの掛け針部２０の胴線２３が収束時の逆の動作で扇形に拡がりながら、筒部材５０から抜け出す。同時的に各竿体１１ｂ〜１１ｅが順に繰り出され、最終的に最大長さまで延びて、竿出しが終了する。この竿出しの際に、安全ピン１３が抜けた貫通穴４３は竿出し時の空気流入穴となって、竿出しを円滑なものにする。この竿繰り出しが円滑に行われるように、貫通穴４３の穴径を数ミリ〜５ミリ程度に設定しておく。竿出しが緩やかにして円滑に行われるため、固定カバー３１から鉤針２４が突発的に飛び出す危険性が無く、より安全な竿出し操作が行える。
【００３９】
図４の使用例において、固定カバー３１から鉤針２４を手で引き出す際に、尻栓４０の窓穴４４内に突出している安全ピン１３を窓穴４４に挿入した棒状工具（ドライバーなど）や手の指で押して、安全ピン１３を貫通穴４３から少し抜いておくようにしてもよい。また、図１の安全ピン１３の長さを１センチ程度長くしておいて、安全ピン１３の先端部を窓穴４４から突出させておき、この突出して先端部を床などに押し付けて、安全ピン１３を貫通穴４３から少し抜いておくようにしてもよい。このようにすれば、鉤針２４を手で掴んで引っ張る作業が容易になる。或いは、鉤針２４を手で掴まず、窓穴４４に挿入した棒状工具で安全ピン１３を貫通穴４３から完全に抜き出すようにしてもよい。この場合、窓穴４４を工具や指が入り易い内径、深さに設定することが望ましい。
【００４０】
次に、図８〜図１８を参照して他の実施の形態を説明する。
【００４１】
図８（Ａ）、（Ｂ）に示すすくいあげ具は、掛け針部２０の胴線２３が１本である。１本の胴線２３の先端部に直交方向放射状に複数本（同図では５本）の鉤針２４を固定している。このような１本針構造の掛け針部２０は、胴線２３を収束させる必要がないので、収束内径面５１を有する筒部材５０は必要としない。しかし、掛け針部２０は、図１の３本針構造のものや、後述する４本針構造のものなどと複数品種が適用でき、交換して使用することが通常であることから、筒部材５０を設けておく。
【００４２】
図９（Ａ）、（Ｂ）に示すすくいあげ具は、掛け針部２０の胴線２３が２本である。２本の胴線２３が一平面で扇形に拡がり、各先端部に拡がる一平面と直交方向と平行方向の三方向に３本の鉤針２４を固定する。２本の胴線２３の長さを相違させて、各先端部の鉤針２４に段差ｄを設ける。このような鉤針方向性と段差ｄは、２本の胴線２３を収束させたときに鉤針同士が絡むのを抑制するため有効である。
【００４３】
図１０（Ａ）、（Ｂ）に示すすくいあげ具は、掛け針部２０の胴線２３が４本である。４本の胴線２３が基端部２１から９０°間隔で放射状に延在し、各先端部に外方向放射状に２本ずつの鉤針２４が固定される。図１０（Ｂ）に示すように、４本の胴線２３を収束させたとき、各先端部の鉤針２４は互いに背中合わせに接近するため、互いに絡むことがない。
【００４４】
図１１（Ａ）、（Ｂ）に示すすくいあげ具は、図１０の掛け針部２０の４本の胴線２３に、４本全てを囲うようにリング状の収束部材６０を嵌挿している。図１１（Ａ）に示すように、基端部２１から放射状に拡がる４本の弾性胴線２３の根元部分に摺動自在に収束部材６０を嵌挿する。この収束部材６０を胴線軸方向前方に向けて手動で移動させて、図１１（Ｂ）に示すように、４本の胴線２３を収束させる。このようにすれば、掛け針部２０の４本の胴線２３を任意の段階で収束させたり、放射状に拡げることができる。例えば、すくいあげ具使用時において、胴線２３を収束させたほうがすくいあげ効果が上がるような場合に、釣り現場で胴線２３を手動で収束させることができる。また、各胴線２３を収束部材６０で収束させた状態で、掛け針部２０を筒部材５０に挿入するようにすれば、自重による挿入が容易となる。また、各胴線２３を収束部材６０で収束させた状態で、鉤針２４を固定カバー３１内に収納したとき、図１２に示すように、収束部材６０が筒部材５０の先端に当接して、鉤針収納完了となる。
【００４５】
図１３は、収束部材６０の取付要領を示す。胴線２３と一体の軸体２２を基端部２１に連結する際に、軸体２２から胴線２３へと収束部材６０を挿入する。その後、軸体２２を基端部２１に連結する。
【００４６】
図１１に示すリング状の収束部材６０の代わりに、図示しないが４本の胴線２３のそれぞれ１本ずつが挿入される４つの穴を貫通させた板部材を使用してもよい。この板部材の４つの穴を正方形の４角の配列で形成する。４本の胴線２３を対応する４穴に挿通した状態で、板部材を鉤針２４側に移動させると、放射状に拡がっていた胴線２３が収束され、反対方向に移動させると胴線２３が放射状に拡がる。
【００４７】
次に、図１４（Ａ）、（Ｂ）、（Ｃ）に示す蓋付安全カバー３０の三例を順に説明する。図１４（Ａ）は、椀状の固定カバー３１の外周に固定カバー３１の先端開口部３１ｄを塞ぐ閉位置（実線位置）と開く開位置（鎖線位置）の間で手動で開閉可能に連結された片開き式安全蓋７０を示す。安全蓋７０は、固定カバー３１の先端部外周に連結ピン７１で開閉可能に連結される。図１４（Ｂ）は、固定カバー３１の外周に固定カバー３１の先端開口部３１ｄを塞ぐ閉位置と開く開位置の間で手動で開閉可能に連結ピン７２で連結された蛇腹式安全蓋７０を示す。図１４（Ｃ）は、固定カバー３１の外周に固定カバー３１の先端開口部３１ｄを塞ぐ閉位置と開く開位置の間で手動で開閉可能に連結された一対の開閉ドーム７３、７４を備えた安全蓋７０を示す。一対の開閉ドーム７３、７４が固定カバー３１に連結ピン７５で互いに反対方向に開閉可能に連結される。一対の開閉ドーム７３、７４の開閉は、最大径の竿体１１ｆの先端部に軸方向に移動可能に装着された開閉操作部材７６を使用して手動で行われる。
【００４８】
次に、図１５に示す実施の形態のすくいあげ具１を説明する。
【００４９】
図１５のすくいあげ具１は、図１および図２のすくいあげ具１の延竿部１０から筒部材５０を省略して、最大径の竿体１１ｆに出し入れされる竿体１１ｂ〜１１ｅの内の１本、例えば２番目に径の小さい竿体１１ｂの先端開口部内周を収束内径面５１にしている。また、図１の竿体１１ｂの長さを筒部材５０を含めた長さとすると、この長さに図１５の竿体１１ｂの長さを合わせている。
【００５０】
竿体１１ｂの先端部の収束内径面５１は、例えば図１６に示すような面取り逆円錐面１７とすればよい。図１６の鎖線で示すように、放射状に拡がる３本の胴線２３を竿体１１ｂ内に挿入すると、収束内径面５１に摺接して収束する。逆に３本の胴線２３を竿体１１ｂから引き出すと、収束内径面５１を出たところで放射状に弾性復帰して拡がる。
【００５１】
図１７は、竿体１１ｂの先端を筒状の補強部材１８で形成して、補強部材１８の凸曲面状内周面を収束内径面５１にしている。
【００５２】
また、図１の各竿体１１ｂ〜１１ｅの長さは、竿抜け防止用ゴム栓としても機能する筒部材５０のために、最大径の竿体１１ｆより数センチ程度短く設定している。図１５の１本の竿体１１ｂの長さは前述のように長目に設定され、他の竿体１１ｃ〜１１ｅの長さは、図１の筒部材５０で長さ制限されることが無く、これも長目に設定できる。これら竿体１１ｂ〜１１ｅの長さは、最大径の竿体１１ｆの長さとほぼ同じ長さに設定する。このように各竿体１１ｂ〜１１ｅの長さを長目に設定することで、延竿部１０の全ての竿体を引き出して、延竿全体を最大長さにしたとき、その全長は各竿体１１ｃ〜１１ｅを図１の場合より長くした分の合計に応じて大きくすることができる。
【００５３】
図１５の延竿部１０は、最小長さが同じで竿数も同じ既存の延竿に比べ、上述したように竿出したときの最大長さを大きくすることができる。また、竿出ししたときの最大長さが同じ既存の延竿に対しては、竿数を少なくして軽量化、低コスト化を図ることが容易になる。
【００５４】
次に、安全カバー３０の他の実施の形態を、図１８（Ａ）、（Ｂ）に示す。図１８に示す安全カバー３０は、延竿部１０の最大径の竿体１１ｆの先端部に、竿体１１ｆの先端開口部とこの先端開口部に露出する鉤針２４を覆う閉位置（図１８（Ａ）の実線位置）と鉤針２４を露呈させる開位置（図１８（Ｂ）の実線位置）の間で開閉可能に連結された手動式開閉カバー８０を有する。開閉カバー８０は、一対の開閉キャップ８１、８２を備える。一対の開閉キャップ８１、８２は、竿体１１ｆの先端部外周を覆う半円筒部と竿体１１ｆの先端開口を覆う半球面部を有し、半円筒部の基部両端が竿体１１ｆの先端部外周に嵌着された円筒座部８６に連結ピン８３で連結される。一対の開閉キャップ８１、８２は、連結ピン８３を支点に互いに反対方向に開閉する。開閉キャップ８１、８２の開閉は、最大径の竿体１１ｆの先端部に軸方向に移動可能に装着した開閉操作部材８４とリンク８５を使用して手動で行われる。
【００５５】
図１８の開閉カバー８０は、図１４の固定カバー３１と安全蓋７０を合体させたものに相当し、最大径の竿体１１ｆの先端に露呈する鉤針２４を保護する。
【００５６】
尚、本発明のすくいあげ具は、上記した実施の形態に限定されるものではなく、本発明の要旨を逸脱しない範囲内において種々変更を加え得ることは勿論である。
【図面の簡単な説明】
【００５７】
【図１】すくいあげ具の実施の形態を示す部分断面を含む側面図である。
【図２】すくいあげ具の安全カバー部分の９０°異なる方向からの断面図である。
【図３】図２の安全カバー部分の平面図である。
【図４】すくいあげ具の各使用状態を示す一部省略部分を含む側面図で、（Ａ）は延竿部が最小長さで掛け針部を引き出す前の側面図、（Ｂ）は延竿部から掛け針部を引き出す予備段階の側面図、（Ｃ）は引き出し途中の側面図である。
【図５】すくいあげ具の部分分解側面図である。
【図６】すくいあげ具の最小径竿体と掛け針部の分解側面図である。
【図７】図１すくいあげ具の分解側面図である。
【図８】（Ａ）は掛け針部の他の実施の形態を示す側面図、（Ｂ）は図８（Ａ）の掛け針部における鉤針の拡大正面図である。
【図９】（Ａ）は掛け針部のさらに他の実施の形態を示す側面図、（Ｂ）は図９（Ａ）の掛け針部における鉤針の拡大正面図である。
【図１０】（Ａ）は掛け針部のさらに他の実施の形態を示す側面図、（Ｂ）は図１０（Ａ）の掛け針部における鉤針の拡大正面図である。
【図１１】（Ａ）はすくいあげ具の他の実施の形態を示す一部省略部分を含む側面図、（Ｂ）は図１１（Ａ）の掛け針部を収束させたときの側面図である。
【図１２】図１１すくいあげ具における安全カバー部分の拡大断面図である。
【図１３】図１１すくいあげ具における掛け針部の分解側面図である。
【図１４】（Ａ）、（Ｂ）、（Ｃ）は、すくいあげ具における安全カバーの変形例を示す側面図である。
【図１５】すくいあげ具の他の実施の形態を示す部分断面を含む側面図である。
【図１６】図１５のすくいあげ具における竿体の部分拡大断面図である。
【図１７】図１５のすくいあげ具における竿体の他の構造を示す部分拡大断面図である。
【図１８】安全カバーの他の実施の形態を示す側面図で、（Ａ）は閉じた安全カバー、（Ｂ）は開いた安全カバーを示す。
【符号の説明】
【００５８】
１０    延竿部
Ｙ    竿針ユニット
１１    竿体
１３    安全ピン
２０    掛け針部
２１    基端部
２３    胴線
２４    鉤針
３０    安全カバー
３１    固定カバー
４０    尻栓
４２    弾性部材
４３    抜け止め手段、弾性貫通穴
５１    収束内径面
６０    収束部材
７０    安全蓋
７６    開閉操作部材
８０    開閉カバー
【図１】
2010136694.tif 000003
【図２】
2010136694.tif 000004
【図３】
2010136694.tif 000005
【図４】
2010136694.tif 000006
【図５】
2010136694.tif 000007
【図６】
2010136694.tif 000008
【図７】
2010136694.tif 000009
【図８】
2010136694.tif 000010
【図９】
2010136694.tif 000011
【図１０】
2010136694.tif 000012
【図１１】
2010136694.tif 000013
【図１２】
2010136694.tif 000014
【図１３】
2010136694.tif 000015
【図１４】
2010136694.tif 000016
【図１５】
2010136694.tif 000017
【図１６】
2010136694.tif 000018
【図１７】
2010136694.tif 000019
【図１８】
2010136694.tif 000020